(57)【要約】【課題】中空壁の内部に配線、配管を行った場合に、台輪部の構造による配線、配管の横方向の移動の制約がなく、水廻り設備移動をともなうリフォーム工事等で配線、配管の再工事を必要としない壁立設構造を提供する。【解決手段】台輪部２０は、四周枠体２１を構成する枠片のうち両壁面側に配した対向２枠片２１ａの間で、両側端の対向２枠片２１ｂ間に架け渡される補強桟部２２を配してなり、該補強桟部２２と両壁面側のそれぞれの枠片２１ａとの間で、両側端の対向２枠片２１ｂ間にわたって連通した配線・配管挿通空間２３が形成されている。【選択図】図１
2010255223.tif 000002
【特許請求の範囲】
【請求項１】
下部に台輪部を設けて、水廻り設備領域の間仕切壁として立設される中空壁の壁立設構造において、
上記台輪部は、四周枠体を構成する枠片のうち両壁面側に配した対向２枠片の間に、両側端の対向２枠片間に架け渡される補強桟部を配してなり、該補強桟部と上記両壁面側のそれぞれの枠片との間で、両側端の対向２枠片間にわたって連通した配線・配管挿通空間が形成されていることを特徴とする壁立設構造。
【請求項２】
請求項１において、
上記補強桟部は、２本の相互に略平行な補強片で構成されている壁立設構造。
【請求項３】
請求項２において、
上記補強桟部は、さらに上記２本の補強片の間に補助片を架け渡した構造としている壁立設構造。
【請求項４】
請求項１〜３のいずれか１項において、
上記補強桟部の下方に床下脚または床下壁が配され、かつ上記配線・配管挿通空間の下方には、配線または配管を導出させる空間が形成されている壁立設構造。
【請求項５】
請求項１〜４のいずれか１項において、
上記中空壁は、両壁面の少なくとも一方に開閉扉を備えた構造としている壁立設構造。
【発明の詳細な説明】
【技術分野】
【０００１】
本発明は、下部に台輪部を設けて、水廻り設備領域の間仕切壁として立設される中空壁の壁立設構造に関する。
【背景技術】
【０００２】
従来のマンション、戸建等の住戸におけるキッチン設備、洗面設備（洗面化粧台等）、バス設備、トイレ設備等の水廻り設備は、それらを設置する領域が個別に、あるいはまとまった状態で、間仕切壁によって仕切られている。
【０００３】
この間仕切壁としては、内部を空洞とし、その内部空間に配線や配管を通すことができる中空壁が知られている。特に、マンション等では、水廻り設備領域の壁際に設置した洗面化粧台等の設備は、配線、配管がその裏側から出て、中空壁の内部と、中空壁の土台である台輪部の内部とを通って、二重床構造により形成された床下空間へと導出されるようになっている。
【０００４】
この種の中空壁に配線、配管する従来の技術として、特許文献１に、中空の間柱の内部に、上下の全長にわたり貫通した配線・配管収納部が形成された間仕切構造に関する技術が開示されている。
【先行技術文献】
【特許文献】
【０００５】
【特許文献１】特許２９８１８６３号公報
【発明の概要】
【発明が解決しようとする課題】
【０００６】
ところで、中空壁は、上記のように、壁の下部（土台）を構成する台輪部を備えているが、図６に示すように、その台輪部１００には、中空壁を立設保持するための強度を持たせるために、通例では四周枠体１０１内に壁厚方向Ｙに架け渡された補強片１０２が設けられている。
【０００７】
しかしながら、このように、補強片１０２で台輪部１００の長手方向（壁面横方向）Ｘが分断されていれば、配線、配管を、いったん台輪部１００内の補強片１０２で仕切られたいずれかの上下連通空間１０３に通してしまうと、その後、配線、配管を壁面横方向Ｘに移動させることは、再工事しない限り不可能である。つまり、洗面化粧台等の水廻り設備を壁面に沿って横移動させるようなリフォーム工事を行う場合、当然に配線、配管の再工事を行わなければならない。
【０００８】
本発明は、このような事情を考慮して提案されたもので、その目的は、中空壁の内部に配線、配管を行った場合に、台輪部の構造による、配線、配管の横方向への移動の制約がなく、水廻り設備の移動をともなうリフォーム工事等で配線、配管の再工事を必要としない壁立設構造を提供することにある。
【０００９】
また、台輪部に適切な補強構造を持たせること、特に、その補強構造が床下の支持脚や壁等の床下構造に位置的に合致し、補強構造が配線、配管にじゃまにならないようにすることも、本発明の目的に含まれる。
【課題を解決するための手段】
【００１０】
上記目的を達成するために、請求項１に記載の壁立設構造は、下部に台輪部を設けて、水廻り設備領域の間仕切壁として立設される中空壁の壁立設構造において、台輪部は、四周枠体を構成する枠片のうち両壁面側に配した対向２枠片の間に、両側端の対向２枠片間に架け渡される補強桟部を配してなり、補強桟部と両壁面側のそれぞれの枠片との間で、両側端の対向２枠片間にわたって連通した配線・配管挿通空間が形成されていることを特徴とする。
【００１１】
請求項２に記載の壁立設構造は、補強桟部が２本の相互に略平行な補強片で構成されている。
【００１２】
請求項３に記載の壁立設構造は、補強桟部がさらに上記２本の補強片の間に補助片を架け渡した構造としている。
【００１３】
請求項４に記載の壁立設構造は、補強桟部の下方に床下脚または床下壁が配され、かつ配線・配管挿通空間の下方には、配線または配管を導出させる空間が形成されている。
【００１４】
請求項５に記載の壁立設構造は、中空壁が両壁面の少なくとも一方に開閉扉を備えた構造としている。
【発明の効果】
【００１５】
請求項１に記載の壁立設構造によれば、台輪部に両側端の対向２枠片間にわたって連通した配線・配管挿通空間が形成されているので、途中で分断されていない横長の配線、配管用のスペースを形成することができ、そのため、台輪部内での配線、配管の水平方向への移動の制約がなく、水廻り設備領域に設置した洗面化粧台等の設備を壁面に沿って移動させるようなリフォーム工事を行う場合でも、配線、配管を取り外しすることなく、横長の配線・配管挿通空間内で、配線、配管をスライドさせる程度の簡易な作業ですむ。
【００１６】
請求項２に記載の壁立設構造によれば、補強桟部が２本の相互に略平行な補強片で構成されているので、壁重量のかかる台輪部を簡易な方法で強固な構造にすることができる。
【００１７】
請求項３に記載の壁立設構造では、補強桟部が２本の補強片の間に補助片を架け渡した構造としている。つまり、台輪部は壁面方向と壁厚方向の２方向について補強片と補助片で補強されているので、中空壁を頑丈な土台でもって立設、支持することができる。
【００１８】
請求項４に記載の壁立設構造によれば、配線・配管挿通空間の下方には、配線または配管を導出させる空間が形成されているので、配線、配管を床下に導出する際に障害物がなく、無駄なく配線、配管でき、またスムーズに作業できる。また、補強桟部は、その下方に床下脚または床下壁が配されるように設けられているので、補強桟部が配線、配管のじゃまになることはない。
【００１９】
請求項５に記載の壁立設構造によれば、中空壁が両壁面の少なくとも一方に開閉扉を備えた構造としているので、配線、配管の作業がしやすいし、中空壁の内部を収納空間としても利用できる。また、その開閉扉は、中空壁の下部に台輪部を設けているので開閉操作がしやすい。
【図面の簡単な説明】
【００２０】
【図１】本発明の壁立設構造の実施形態を示す中空壁の概略縦断面図である。
【図２】（ａ）は図１に示した中空壁に使用される台輪部の一部破断斜視図、（ｂ）は台輪部の他例を示す一部破断斜視図である。
【図３】同中空壁の概略部分横断面図である。
【図４】同中空壁の概略部分横断面図である。
【図５】同中空壁が水廻り設備領域の間仕切壁として採用されている住戸領域の概略平面図である。
【図６】従来の中空壁に採用されている台輪部の斜視図である。
【発明を実施するための形態】
【００２１】
以下に、本発明の実施形態について、添付図面を参照しながら説明する。なお、以下の実施形態では、本発明の壁立設構造を床下空間を有した二重床構造のマンション住戸に適用させたものを例示しているが、本発明の壁立設構造は戸建住戸にも適用できる。
【００２２】
図１は本発明の壁立設構造の実施形態を示す中空壁の概略縦断面図、図２（ａ）は図１に示した中空壁に使用される台輪部の一部破断斜視図、図２（ｂ）は台輪部の他例を示す一部破断斜視図である。図３は、同中空壁の概略部分横断面図であり、図４は図３の状態からリフォーム工事をした後を示す概略部分横断面図である。また、図５は、同中空壁が水廻り設備領域の間仕切壁として採用されている住戸領域の概略平面図である。なお、図１、図３および図４には、中空壁の近傍の住戸内領域を含んで図示している。
【００２３】
この中空壁１１の壁立設構造は、例えば図５に示すような間取りのマンション住戸に使用される。この住戸は、その住戸領域Ａが周壁１（界壁）で囲まれており、図５における左右方向の中央には、洗面、浴室、トイレ各領域３１、３２、３３を集合させた水廻り設備領域３０が孤立状態に配置されている。なお便宜上、図５に示した矩形の住戸領域Ａにおける方向は、図中上方に位置する辺側を「前」、その対向辺側を「後」、それ以外の２辺側を「左」、「右」という。
【００２４】
この水廻り設備領域３０は、その全体が扉付き開口部１０ａを有した間仕切壁１０に囲まれて、その外側の領域と仕切られており、一方、水廻り設備領域３０の内側では、洗面化粧台４１ａ等の各水廻り設備を設置した空間が間仕切壁１０で仕切られている。
【００２５】
なお、これらの間仕切壁１０は、固定壁、可動壁のいずれであってもよい。ここで、可動壁とは、住戸領域Ａ内に新たに付加したり、住戸領域Ａ内で移動したりすることが可能な壁で、床や天井に固定具（不図示）で固定できるものである。
【００２６】
この水廻り設備領域３０の前方には玄関３５ａ、および後方に通じる廊下等の玄関領域３５が形成され、一方、水廻り設備領域３０の後方には居室領域３６が形成されている。
【００２７】
水廻り設備領域３０内の洗面領域３１には、洗面化粧台４１ａおよび洗濯機４１ｂ等の洗面設備４１が配設され、浴室領域３２には浴槽４２ａ等を含むバス設備４２（バスユニット）が配設され、トイレ領域３３には便器４３ａ等を含むトイレ設備４３が配設されている。
【００２８】
また、水廻り設備領域３０とその周囲領域とを仕切るの間仕切壁１０は、水廻り設備領域３０の周囲四辺に立設されており、前方の間仕切壁１０は水廻り設備領域３０と玄関領域３５とを仕切り、後方の間仕切壁１０は水廻り設備領域３０と居室領域３６とを仕切っている。
【００２９】
一方、水廻り設備領域３０の左右に配されているそれぞれの間仕切壁１０は、その外側に立設されている周壁１から通行可能な幅寸法の距離を離間して立設されている。つまり本実施形態では、左右の間仕切壁１０の外側に、後方に配置された居室領域３６へ通じる通路（廊下）として利用できる非居室領域３４が形成されている。
【００３０】
また、四辺の間仕切壁１０のうち、洗面領域３１の前方および後方に配されている２箇所の間仕切壁１０には、扉付き開口部１０ａが形成されている。
【００３１】
一方、水廻り設備領域３０内においても、洗面領域３１、浴室領域３２、トイレ領域３３のそれぞれを間仕切壁１０が仕切っている。なお、水廻り設備領域３０はキッチン領域を含んでもよい。また、これらの各領域が住戸領域Ａ内に分散配置されていてもよい。
【００３２】
マンション住戸に使用されているこのような間仕切壁１０は、両面に面材１１ａを貼り付け内部を空洞とした中空壁１１より構成されている。以下では、中空壁１１の壁立設構造の例として、洗面領域３１と非居室領域３４との間の間仕切壁１０として立設された中空壁１１（図５中、白抜き図示した間仕切壁１０）について例示して説明する。
【００３３】
この中空壁１１は、図１に示すように、床材２と天井材５との間に挟まれた状態に立設されており、下部には中空壁１１の土台となる台輪部２０が配設され、その上方には上下に分けられた２つの収納空間１２が形成されている。また、床材２の下方には、給電線４７、信号線等（以下、配線という）や給水・給湯管４５、排水管４６（以下、配管という）を通すために十分な高さを有した床下空間４が形成されており、その床下空間４には、床材２を支持するための支持脚、支持壁および遮音壁などの床下脚３、床下壁が立設されている。なお、図１中では、床下脚３を例示している。
【００３４】
収納空間１２のうち、上方の中空空間には、複数段の棚によって小物等の収納を加納とした上方収納空間１２ａが形成され、下方の中空空間には、配線・配管空間を兼ねた下方収納空間１２ｂが形成されている。図中、１１ｂは収納空間１２に配設された枠体である。
【００３５】
この上方収納空間１２ａは、中空壁１０の洗面領域３１側の面材１１ａが開閉扉１１ｃを構成し、これを開いて収納物の出し入れができ、一方、下方収納空間１２ｂは中空壁１１の非居室領域３４側の面材１１ａが開閉扉１１ｃを構成し、これを開いて配線、配管施工作業および収納物の出し入れができるようになっている。
【００３６】
また、下方収納空間１２ｂに配設した枠体１１ｂは底部１１ｂａを有し、その底部１１ｂａに貫通孔１１ｂｂが開設されて、洗面化粧台４１ａから引き出された配線、配管が台輪部２０へ導出されるようになっている。
【００３７】
この下方収納空間１２ｂを直上に配置させた台輪部２０は、図３に示すように、間柱１５を挟んで２つのものが床上に載置、固定されており、その各台輪部２０はそれぞれ、図２（ａ）に示すように、上下が開口された構造体であり、四周枠体２１と、その枠内に設けた補強桟部２２とより構成されている。
【００３８】
四周枠体２１は、両壁面側に配した対向２枠片２１ａと、両側端の対向２枠片２１ｂとよりなり、一方、補強桟部２２は、図２（ａ）に示すように、両壁面側に配した対向２枠片２１ａの間で、両側端の対向２枠片２１ｂ間に架け渡された２本の相互に平行な補強片２２ａと、それら補強片２２ａ間にはしご状に架け渡された複数の補助片２２ｂとよりなる。なお、四周枠体２１は上方の枠体１１ｂや面材１１ａと一体に形成されたものであってもよい。
【００３９】
この補強桟部２２は、中空壁１１の土台である台輪部２０を構造的に補強するもので、簡易な構造の部材によって台輪部２０を補強でき、また壁面横方向と壁厚方向との２方向について補強することができる。このように、台輪部２０は補強構造を備えているので、中空壁１１を頑丈な土台でもって立設、支持することができる。また、台輪部２０が形成されているので、下方収納空間１２ｂの開閉扉１１ｃの開閉をスムーズに行える。
【００４０】
そして、図２（ａ）に示すように、補強桟部２２と両壁面側のそれぞれの枠片２１ａとの間には、両側端の対向２枠片２１ｂ間にわたって横方向に連通し、上下にも連通した２つの配線・配管挿通空間２３が形成されている。
【００４１】
また、台輪部２０内で壁厚方向の中央に配された補強桟部２２は、中空壁１１が立設された状態では、床下空間４に配された床下脚３のほぼ真上になるように配されており、一方、補強桟部２２の洗面領域３１側と非居室領域３４側の２つの配線・配管挿通空間２３、２３は、その下方に配されている、配線、配管を通すための配線・配管床下空間４ａと、床材２に開設した開口２ａを介して連通した状態となっている。
【００４２】
図１の例では、２つの配線・配管挿通空間２３、２３のうち一方（被居室領域３４側）の配線・配管挿通空間２３は配線挿通空間として利用され、他方（洗面領域３１側）の配線・配管挿通空間２３は配管挿通空間として利用されている。
【００４３】
この配線、配管は、洗面化粧台４１ａから引き出されるもので、それらは、中空壁１１内の下方収納空間１２ｂおよび台輪部２０内の配線・配管挿通空間２３を通って、さらに床材２に開設された開口２ａを通過して、床下空間４へと導出されている。なお、台輪部２０の四周枠体２１のうち洗面化粧台４１ａに隣接する枠片２１ａを外すか、あるいはその枠片２１ａに孔を開設して、洗面化粧台４１ａから配線、配管を通してもよい。
【００４４】
また、上述したように、補強桟部２２の下方には床下脚３または床下壁が形成されているが、配線・配管挿通空間２３の下方には、配線または配管を導出させる配線・配管床下空間４ａが形成されているので、これらの配線、配管を床下に導出する際には障害物なく導出でき、スムーズに作業できる。その結果、配線、配管を必要以上に長くしなくてもよい。特に、床下壁の場合は、補強桟部２２のほぼ真下に中空壁１１に沿って連続的に配設されるので、配線・配管床下空間４ａが配線・配管挿通空間２３の下方に形成されるメリットはきわめて大きい。
【００４５】
また、逆にいえば、補強桟部２２は、その下方に床下脚３または床下壁が配されるように台輪部２０に設けられているので、この補強桟部２２が配線、配管を遮ったりじゃまをしたりすることはない。したがって、補強桟部２２は無駄のない有効な台輪部２０の補強桟となり得る。
【００４６】
なお、このような配線・配管床下空間４ａを有効に利用するために、台輪部２０内の補強桟部２２を、床下脚３、床下壁とほぼ同一幅に形成する必要があることはもちろんである。
【００４７】
以上のように台輪部２０は、下方収納空間１２ｂを通ってきた配線、配管を床下へ導出するために上下は開放されているが、配線、配管を通すことのできる孔が開設された天板、底板を取り付けたものでもよい。特に、補強桟部２２は配線、配管を通す目的はないので、補強桟部２２の上下は塞いでもよい。また、洗面化粧台４１ａ側の枠片２１ａを外すか、あるいはその枠片２１ａに孔を開設して配線、配管を洗面化粧台４１ａより台輪部２０内に導出する場合は、台輪部２０の上部を天板で完全に塞いでしまってもよい。
【００４８】
また、補強桟部２２は、図２（ｂ）に示すように、１枚の板体２２ｃを寝かせて台輪部２０の両側端の対向２枠片２１ｂ間に架け渡して構成されたものでもよい。これによれば、きわめて簡易な構造で強固な台輪部２０を構成できる。
【００４９】
さらに、この台輪部２０は図３に示すように、その内部に、両側端の対向２枠片間２１ｂにわたって、途中に遮る部材が存在せず、横方向に連通した配線・配管挿通空間２３を有しているので、配線、配管を配線・配管挿通空間２３内で、横（水平）方向に移動（スライド）させることができる。
【００５０】
具体的には例えば、洗面化粧台４１ａを、図３に示した状態から、壁面に沿ってスライドさせて図４に示した状態へ移動する場合、それに応じて配線、配管も移動させなければならないが、配線・配管挿通空間２３が壁面に沿って、両側端の対向２枠片２１ｂ間にわたって連通した空間であるため、配線・配管挿通空間２３内を洗面化粧台４１ａの移動にともなってスライドさせるだけでよく、配線、配管を付け替える必要がない。
【００５１】
このように、配線・配管挿通空間２３が内部に形成された台輪部２０を備えた中空壁１１の壁立設構造によれば、水廻り設備領域３０内の壁面に沿った設備移動のリフォーム工事をする際に、配線、配管の再工事をすることなく、簡易に迅速に行うことができる。
【００５２】
なお、図３、４の例ではさらに、洗面領域３１に配設された洗濯機４１ｂ用の給水・給湯管４５および排水管４６も、洗面化粧台４１ａの配管と同様に、上述した台輪部２０に隣接する台輪部２０の配線・配管挿通空間２３を挿通されて床下へ導出されている。
【００５３】
以上の実施形態では、洗面領域３１と非居室領域３４との間の中空壁１１の構造について例示説明したが、他の間仕切壁１０にも同様の台輪部２０を有した中空壁１１を使用できることはいうまでもない。
【符号の説明】
【００５４】
３      床下脚
４      床下空間
４ａ      配線・配管床下空間
１０      間仕切壁
１１      中空壁
１１ｃ      開閉扉
１２      収容空間
２０      台輪部
２１      四周枠体
２１ａ      両面側の対向２枠片
２１ｂ      両側端の対向２枠片
２２      補強桟部
２２ａ      補強片
２２ｂ      補助片
２３      配線・配管挿通空間
３０      水廻り設備領域
４５      給水・給湯管（配管）
４６      排水管（配管）
４７      給電線（配線）
【図１】
2010255223.tif 000003
【図２】
2010255223.tif 000004
【図３】
2010255223.tif 000005
【図４】
2010255223.tif 000006
【図５】
2010255223.tif 000007
【図６】
2010255223.tif 000008